(57)【特許請求の範囲】
【請求項１】
遊技の演出を行うための回転灯を遊技盤に配置した遊技機であって、
前記回転灯は、前記遊技盤の面に沿った方向の回転軸を有するとともに、
前記回転軸を回転中心とした回転力を発生させる駆動源と、
前記回転軸に対して垂直な面を有する第１の反射面と、
前記第１の反射面が形成され、前記駆動源によって前記回転軸を回転中心として回転される第１のリフレクタと、
前記第１のリフレクタに配置され、前記駆動源によって前記回転軸を回転中心として回転され、前記回転軸に対して傾けて配置された第２の反射面を有する第２のリフレクタと、
前記第１の反射面及び前記第２の反射面に対向して配置された光源と、
を具備し、
前記光源から照射される光が前記第１の反射面によって前記回転軸の軸方向に沿って延びるように反射し、前記光源から照射される光が前記第２の反射面によって前記回転軸に対して垂直方向に反射するように構成され、
前記光源が前記第１の反射面の位置よりも前記遊技盤の中央寄りに位置するように配置されていることを特徴とする遊技機。
【発明の詳細な説明】
【技術分野】
【０００１】
本発明は、回転灯を備えた遊技機に関する。
【背景技術】
【０００２】
図１３は、従来の回転灯を示す断面図である。
シャーシ４の上面上には軸部３が配置されており、この軸部３には主歯車８が回転可能に支持されている。この主歯車８に台２０が固定されている。この台２０の上面側に反射ミラー６１が固定されており、反射ミラー６１は軸部３を回転中心として回転可能に形成されている。軸部３の上方且つ反射ミラー６１の上方にはパワーＬＥＤ６０が配置されている。パワーＬＥＤ６０は、反射面６１ａの焦点位置に配置されているため、パワーＬＥＤ６０の光Ｑ、Ｑ１、Ｑ２が反射面６１ａで反射されると、平行光となる（例えば特許文献１参照）。
【０００３】
上記従来の回転灯は、リフレクタである反射ミラー６１の回転軸の周方向に光を旋回させるものであり、リフレクタの回転軸である軸部３の上側に光源であるＬＥＤ６０を配置し、その光源の下側に配置されたリフレクタに光を照射し、その光を回転軸の周方向に反射させるものである。
【０００４】
【特許文献１】特開２００６−３１８８８５号公報（段落００６１〜００７６、図１７〜図２０）
【発明の開示】
【発明が解決しようとする課題】
【０００５】
ところで、遊技機においては、電飾を点灯させることにより遊技者に遊技状態を報知することがよく行われている。そこで、上記従来の回転灯を遊技機の電飾として利用することも考えられる。
【０００６】
しかしながら、遊技機の遊技盤に回転灯を配置する際には、リフレクタの回転軸が遊技盤の中央方向へ向くように傾けて配置され、且つリフレクタより光源を遊技盤の中央に近づける向きに回転灯が配置されることが考えられる。このように回転灯を配置すると、リフレクタの回転軸の軸方向上側が遊技者の視線方向に位置することになるが、上記回転灯はリフレクタの回転軸の周方向に光を旋回させるので、遊技者の視線方向である軸方向上側は遊技者から暗く見えてしまい、興趣に欠けることになる。
【０００７】
本発明は上記のような事情を考慮してなされたものであり、その目的は、リフレクタの回転軸の周方向だけでなく、回転軸の軸方向上側にも光を照射可能にする回転灯を備えた遊技機を提供することにある。
【課題を解決するための手段】
【０００８】
本発明に係る遊技機は、遊技の演出を行うための回転灯を遊技盤に配置した遊技機であって、
前記回転灯は、
回転軸を回転中心とした回転力を発生させる駆動源と、
前記回転軸に対して垂直な面を有する第１の反射面と、
前記第１の反射面が形成され、前記駆動源によって前記回転軸を回転中心として回転される第１のリフレクタと、
前記第１のリフレクタに配置され、前記駆動源によって前記回転軸を回転中心として回転され、前記回転軸に対して傾けて配置された第２の反射面を有する第２のリフレクタと、
前記第１の反射面及び前記第２の反射面に対向して配置された光源と、
を具備し、
前記光源から照射される光が前記第１の反射面によって前記回転軸の軸方向に沿って延びるように反射し、前記光源から照射される光が前記第２の反射面によって前記回転軸に対して垂直方向に反射するように構成されていることを特徴とする。
【０００９】
上記本発明に係る遊技機によれば、回転軸の周方向だけでなく、回転軸の軸方向上側にも光を照射可能にする回転灯を備えた遊技機を提供することができる。
【発明を実施するための最良の形態】
【００１０】
以下、図面を参照して本発明の実施の形態について説明する。
１．パチンコ機の機械的構成および電気的構成について
図１は、本発明の実施の形態による遊技盤を示す前面図である。図２は、本発明の実施の形態による遊技機の全体構成を示す前面図である。図３は、本発明の実施の形態による遊技機の全体構成を示す後面図である。図２に示す左方向の矢印は遊技盤の正面に向かって左方向を示す記載であり、図３に示す右方向の矢印は遊技盤の正面に向かって右方向を示す記載である。
【００１１】
パチンコホールの台島には、図２および図３に示すように、外枠１が設置されている。この外枠１は前後面が開口する四角筒状をなすものであり、外枠１の前端面には前枠２が左側辺部の垂直な軸を中心に回動可能に装着されている。この前枠２の前面には、下端部に位置して横長な長方形状の下皿板３が固定されており、下皿板３の前面には上面が開口する下皿４が固定されている。また、前枠２の前面には下皿板３の上方に位置して上皿板５が装着されており、上皿板５の前面には上面が開口する上皿６が固定されている。この上皿板５の後面には右端部に位置してスピーカ７が固定されており、スピーカ７の駆動時にはスピーカ７から前方の遊技者に遊技音が出力される。
【００１２】
下皿板３の前面には右端部に位置してハンドル台８が固定されており、ハンドル台８には発射ハンドル９が前後方向へ延びる水平な軸を中心に回動可能に装着されている。この発射ハンドル９の後方には、図３に示すように、発射モータ１０が固定されており、発射モータ１０の回転軸には、図２に示すように、打球槌１１が連結されている。この発射モータ１０は打球槌１１の駆動源に相当するものであり、発射ハンドル９が図２の時計回り方向へ回動操作されたときには発射モータ１０に駆動電源が与えられ、打球槌１１が駆動することに基づいて上皿６内のパチンコ球を上皿６内から弾き出す。
【００１３】
前枠２の前面には、図２に示すように、矩形状の窓枠１２が左側辺部の垂直な軸を中心に回動可能に装着されており、窓枠１２の内周面には透明なガラス窓１３が固定されている。また、前枠２の後面には額縁状の機構盤が固定されている。この機構盤には正方形状の遊技盤１４（図１参照）が着脱可能に装着されており、遊技盤１４は窓枠１２のガラス窓１３により前方から覆われている。
【００１４】
遊技盤１４の前面には、図１に示すように、外レール１５および内レール１６が固定されている。これら外レール１５および内レール１６間には左側部に位置して発射通路１７が形成されており、打球槌１１が弾いたパチンコ球は発射通路１７内を通って上昇する。また、遊技盤１４には遊技領域１８が形成されており、遊技領域１８内には複数の障害釘１９が打込まれている。この遊技領域１８は外レール１５および内レール１６によって囲まれた円形領域（発射通路１７を除く残余領域）を称するものであり、発射通路１７内を上昇するパチンコ球は発射通路１７の出口２０から遊技領域１８内に放出され、障害釘１９に当りながら遊技領域１８内を落下する。即ち、遊技領域１８は発射通路１７の出口２０から放出されたパチンコ球が転動可能な最大範囲である転動領域に相当する。
【００１５】
窓枠１２には、図２に示すように、ガラス窓１３の外周部に位置して複数のランプカバー２１が固定されており、各ランプカバー２１の後方には複数のＬＥＤ２２が配置されている。これら各ＬＥＤ２２は窓枠２１に固定されたものであり、各ランプカバー２１は後方のＬＥＤ２２が発光することに基づいて照明される。ガラス窓１３の下方には、操作スイッチ７８が設けられている。この操作スイッチ７８は、図２に示すように、上皿６に前方から操作可能に固定された自己復帰形のプッシュスイッチからなるものである。
【００１６】
遊技盤１４の前面には、図１に示すように、遊技領域１８内に位置する図柄表示装置２３が設けられている。この図柄表示装置２３には、遊技情報などの映像が映し出される表示器２５（例えば、ＬＣＤなど）が備えられている。さらに、かかる図柄表示装置２３には、回転灯２４が設けられている。この回転灯２４は、その上方に板状の突起物が設けられており、遊技盤１４（図１、図２参照）を落下転動するパチンコ球が衝突することがないので、パチンコ球の落下転動とは無関係の遊技上の装飾物である。
【００１７】
図柄表示装置２３の後面には図柄基板ケースが固定されており、図柄基板ケース内には図４に示す図柄制御基板３０が収納されている。この図柄制御基板３０には、図柄表示制御手段に相当する図柄表示制御用ＣＰＵ３１や、図柄表示制御用ＲＯＭ３２、図柄表示制御用ＲＡＭ３３、入力・出力ポート３４、ＶＤＰ３５などが搭載されており、図柄表示制御用ＣＰＵ３１は、図柄表示制御用ＲＯＭ３２及び図柄表示制御用ＲＡＭ３３などに記憶された制御方法その他の技術情報に基づいて、ＶＤＰ３５に接続された表示器２５（図１参照）の表示内容を制御する。
【００１８】
遊技盤１４の遊技領域１８内には、図１に示すように、上面が開口するポケット状の始動口２６が設けられている。また、遊技領域１８内には、始動口２６の下方に位置して前面が開口する四角筒状の大入賞口２７が設けられている。
【００１９】
遊技盤１４の後面には、図３に示すように、センタカバー４１が着脱可能に装着されている。このセンタカバー４１は前面が開口する容器状をなすものであり、図柄表示装置２３の後面および図柄基板ケースは後方からセンタカバー４１によって覆われている。
【００２０】
前枠２の後面には、メインセット５４が着脱可能に装着されている。このメインセット５４はセンタカバー４１を囲う矩形枠状をなすものであり、センタカバー４１はメインセット５４の内周部に収納されている。このメインセット５４の後面には上端部に位置して球タンク５５が固定されており、球タンク５５内にはパチンコ球が貯溜されている。また、メインセット５４の後面にはタンクレール５６が固定されている。このタンクレール５６は傾斜樋状をなすものであり、タンクレール５６の右端部は球タンク５５内に接続されている。
【００２１】
メインセット５４の左側部には賞球払出装置５７が着脱可能に装着されている。この賞球払出装置５７は、パチンコ球が始動口２６内および大入賞口２７内に入賞することに基づいてパチンコ球を賞品球として放出する。
【００２２】
メインセット５４の後面には、図３に示すように、メイン基板ケース５９の前方に位置して払出基板ケース６６が固定されている。
【００２３】
また、メインセット５４の後面には、図３に示すように、センタカバー４１の下方に位置してメイン基板ケース５９が固定されている。このメイン基板ケース５９内には、図４に示すようにメイン制御基板２８が収納されており、メイン制御基板２８には、当落判定手段、可変情報選択手段などのメイン制御手段に相当するメイン制御用ＣＰＵ２９や、メイン制御用ＲＯＭ３６、メイン制御用ＲＡＭ３７、入力・出力ポート３８などが搭載されている。メイン制御基板２８には図柄制御基板３０が電気的に接続されており、図柄制御基板２０には電飾装置制御基板４０が電気的に接続されている。
【００２４】
また、電飾装置制御基板４０には、電飾装置制御手段に相当する電飾装置制御用ＣＰＵ３９や、電飾装置制御用ＲＯＭ４２、電飾装置制御用ＲＡＭ４３、入力・出力ポート４４、などが搭載されており、電飾装置制御用ＣＰＵ３９は、電飾装置制御用ＲＯＭ４２及び電飾装置制御用ＲＡＭ４３などに記憶された制御方法その他の技術情報に基づいて、入力・出力ポート４４に接続された電飾装置である回転灯２４（図１参照）の動作内容を制御する。
【００２５】
さらに、図４のブロック図においては、３つの入力・出力ポート３８，３４，４４を介して、メイン制御用ＣＰＵ２９と、図柄表示制御用ＣＰＵ３１、電飾装置制御用ＣＰＵ３９がそれぞれ接続されている。従って、メイン制御用ＣＰＵ２９は、図柄表示制御用ＣＰＵ３１及び電飾装置制御用ＣＰＵ３９を介して、表示器２５の表示内容に合わせて回転灯２４の動作内容を制御することができる。
【００２６】
２．パチンコ機の遊技機能について
遊技者が上皿６内にパチンコ球を投入して発射ハンドル９を時計回り方向へ回動操作すると、遊技盤１４内にパチンコ球が発射され、障害釘１９に当りながら落下する。このパチンコ球が始動口２６内に入賞すると、賞球払出装置５７から設定個数のパチンコ球が上皿６内に賞品球として払出されるとともに、図柄遊技が開始される。この後、遊技者の期待度を高めたいときに回転灯２４を点灯させる。尚、スポットライトのように回転灯２４を点灯させることもできる。
【００２７】
３．電飾装置である回転灯の構造について
図５及び図６は、図１に示す回転灯２４の外観及び内部構造の詳細を示すものである。図５（Ａ）は回転灯の外観を示す斜視図であり、図５（Ｂ）は図５（Ａ）に示す回転灯からカバーを取り外した状態を示す斜視図であり、図５（Ｃ）は図５（Ｂ）に示す回転灯を斜め下から視た斜視図である。図６（Ａ）は図５（Ａ）に示す回転灯の正面図であり、図６（Ｂ）は図６（Ａ）に示すＡ−Ａに沿って切断した断面図である。
図７（Ａ）は図５及び図６に示すリフレクタの上面図であり、図７（Ｂ）は図７（Ａ）に示すリフレクタの斜視図であり、図７（Ｃ）は図７（Ａ）に示すリフレクタの正面図であり、図７（Ｄ）は図７（Ａ）に示すリフレクタの側面図である。
【００２８】
図５及び図６に示すように、回転灯はベース部材４５を有しており、このベース部材４５には駆動源であるモータ４６が配置されている。このモータ４６は図６（Ｂ）に示す回転軸４６ａを回転させるものである。また、第１のリフレクタ５１の上面である第１の反射面５１ａは回転軸４６ａに対して垂直な平面とされている。第１のリフレクタ５１の第１の反射面５１ａには第２のリフレクタ５２が取り付けられている。第１及び第２のリフレクタ５１，５２は、モータ４６の駆動力によって回転軸４６ａを回転中心として回転するように構成されている。
【００２９】
図７（Ａ）〜（Ｄ）に示すように、第２のリフレクタ５２は湾曲した形状を有しており、この湾曲した内側の面（第２の反射面）５２ａが光を反射するように構成されている。第２のリフレクタの第２の反射面５２ａは第１のリフレクタの第１の反射面５１ａの垂直方向に対して傾けて配置されている。詳細には、後述する光源（高輝度ＬＥＤ５３）からの光を第２の反射面５２ａによって後述する横方向５８ａに反射させるように、第２の反射面５２ａは第１の反射面５１ａの垂直方向に対して傾けられている。
【００３０】
図６（Ｂ）に示すように、第１及び第２のリフレクタ５１，５２の上方且つ回転軸４６ａの上方には１個の高輝度ＬＥＤ５３が配置されており、この高輝度ＬＥＤ５３によって第１及び第２のリフレクタ５１，５２に光が照射されるように構成されている。このため、高輝度ＬＥＤ５３から照射される光の略半分が第２のリフレクタ５２の第２の反射面５２ａによって反射されて横方向（周方向、即ち回転軸４６ａに対して垂直方向）５８ａの光としてレンズカバー６５を通して照射され、また、高輝度ＬＥＤ５３から照射される光の略半分が第１のリフレクタ５１の第１の反射面５１ａによって回転軸４６ａの軸方向に沿って延びるように反射されて上方向５８ｂの光としてレンズカバー６５を通して照射される。
【００３１】
図１に示すように、図５及び図６に示す回転灯を、回転軸４６ａが遊技盤１４の中央方向へ向くように傾けて配置し、且つ第２のリフレクタ５２より高輝度ＬＥＤ５３を遊技盤１４の中央に近い向きに配置する。そして、モータ４６を駆動源とし回転軸４６ａを回転中心として第１のリフレクタ５１及び第２のリフレクタ５２を回転させると共に、高輝度ＬＥＤ５３を点灯させる。これにより、横方向５８ａの光としてレンズカバー６５を通して照射された光が回転軸の周方向に旋回されることで光の道筋が回転しているように見える回転灯としての役割を果たす共に、上方向５８ｂの光としてレンズカバー６５を通して照射された光が遊技者の視線方向である遊技盤の中央方向を照らすことができる。
【００３２】
以上説明したように上記実施の形態によれば、第２のリフレクタ５２を第１のリフレクタの第１の反射面５１ａの垂直方向に対して傾けて配置し、高輝度ＬＥＤ５３から照射される光を第２のリフレクタの第２の反射面５２ａと第１のリフレクタの第１の反射面５１ａによって反射させることにより、回転灯としての役割を果たす横方向５８ａの光だけでなく、上方向５８ｂである回転軸４６ａの軸方向上側にも光を照射することができる。
【００３３】
図８及び図９は、図５及び図６に示す回転灯の変形例１であり、図５及び図６と同一部分には同一符号を付し、異なる部分についてのみ説明する。
図８（Ａ）は回転灯の外観を示す斜視図であり、図８（Ｂ）は図８（Ａ）に示す回転灯からカバーを取り外した状態を示す斜視図であり、図８（Ｃ）は図８（Ｂ）に示す回転灯を斜め下から視た斜視図である。図９（Ａ）は図８（Ａ）に示す回転灯の正面図であり、図９（Ｂ）は図９（Ａ）に示すＡ−Ａに沿って切断した断面図である。
【００３４】
図８及び図９に示す変形例１の回転灯が図５及び図６に示す回転灯と異なる部分は、２個の高輝度ＬＥＤ５３ａ，５３ｂを有することである。
【００３５】
詳細には、図９（Ｂ）に示すように、第１及び第２のリフレクタ５１，５２の上方且つ回転軸４６ａの上方には２個の高輝度ＬＥＤ５３ａ，５３ｂが回転灯の正面に対して平行方向且つ第１の反射面５１ａに対して平行に並べて配置されており、高輝度ＬＥＤ５３ａ，５３ｂによって第１及び第２のリフレクタ５１，５２に光が照射されるように構成されている。高輝度ＬＥＤ５３ａから照射される光の略半分が第２のリフレクタ５２の第２の反射面５２ａによって回転軸４６ａに対して垂直方向に反射されて横方向５８ａの光としてレンズカバー６５を通して照射され、また、高輝度ＬＥＤ５３ａから照射される光の略半分が第１のリフレクタ５１の第１の反射面５１ａによって回転軸４６ａの軸方向に沿って延びるように反射されて上方向５８ｂの光としてレンズカバー６５を通して照射される。同様に、高輝度ＬＥＤ５３ｂから照射される光の略半分が第２のリフレクタ５２の第２の反射面５２ａによって反射されて横方向５８ａの光としてレンズカバー６５を通して照射され、また、高輝度ＬＥＤ５３ｂから照射される光の略半分が第１のリフレクタ５１の第１の反射面５１ａによって反射されて上方向５８ｂの光としてレンズカバー６５を通して照射される。
【００３６】
上記変形例１においても図５及び図６に示す回転灯と同様の効果を得ることができる。
【００３７】
図１０及び図１１は、図５及び図６に示す回転灯の変形例２であり、図５及び図６と同一部分には同一符号を付し、異なる部分についてのみ説明する。
図１０（Ａ）は回転灯の外観を示す斜視図であり、図１０（Ｂ）は図１０（Ａ）に示す回転灯からカバーを取り外した状態を示す斜視図であり、図１０（Ｃ）は図１０（Ｂ）に示す回転灯を斜め下から視た斜視図である。図１１（Ａ）は図１０（Ａ）に示す回転灯の正面図であり、図１１（Ｂ）は図１１（Ａ）に示すＡ−Ａに沿って切断した断面図である。
【００３８】
図１０及び図１１に示す変形例２の回転灯が図５及び図６に示す回転灯と異なる部分は、２個の高輝度ＬＥＤ５３ｃ，５３ｄを有することである。
【００３９】
詳細には、図１１（Ｂ）に示すように、第１及び第２のリフレクタ５１，５２の上方且つ回転軸４６ａの上方には２個の高輝度ＬＥＤ５３ｃ，５３ｄが回転灯の正面に対して垂直方向に並べて配置されており、高輝度ＬＥＤ５３ａ，５３ｂによって第１及び第２のリフレクタ５１，５２に光が照射されるように構成されている。高輝度ＬＥＤ５３ｄから照射される光の大部分が第２のリフレクタ５２の第２の反射面５２ａによって反射されて横方向５８ａの光としてレンズカバー６５を通して照射される。高輝度ＬＥＤ５３ｃから照射される光の大部分が第１のリフレクタ５１の第１の反射面５１ａによって反射されて上方向５８ｂの光としてレンズカバー６５を通して照射される。尚、高輝度ＬＥＤ５３ｃから照射される光の一部が第２のリフレクタ５２の第２の反射面５２ａによって反射されて横方向５８ａの光としてレンズカバー６５を通して照射されても良いし、高輝度ＬＥＤ５３ｄから照射される光の一部が第１のリフレクタ５１の第１の反射面５１ａによって反射されて上方向５８ｂの光としてレンズカバー６５を通して照射されても良い。また、特許請求の範囲に記載する光源は、本変形例における２個の高輝度ＬＥＤ５３ｃ、５３ｄをまとめて光源として考えることとする。
【００４０】
上記変形例２においても図５及び図６に示す回転灯と同様の効果を得ることができる。
また、上記変形例２では、高輝度ＬＥＤ５３ｃを主に上方向５８ｂに照射する光の光源として利用し、高輝度ＬＥＤ５３ｄを主に横方向５８ａに照射する光の光源として利用するため、上方向５８ｂに照射する光と横方向５８ａに照射する光の光量バランスを容易に調整することができる。
【００４１】
尚、本発明は上記の実施の形態に限定されず、本発明の主旨を逸脱しない範囲内で種々変更して実施することが可能である。例えば、上記実施の形態では、第１のリフレクタの第１の反射面５１ａを平面形状としているが、第１のリフレクタの第１の反射面を湾曲させた面としても良いし、曲率を有する面としても良い。これにより、上方向５８ｂに照射される光を集光させたり、回転軸４６ａに対してまっすぐ上に照射することが可能となる。
【００４２】
また、上記実施の形態では、第２のリフレクタ５２の第２の反射面５２ａを滑らかな鏡面としているが、図１２に示すような反射面とすることも可能である。
【００４３】
図１２（Ａ）は変形例のリフレクタを示す上面図であり、図１２（Ｂ）は図１２（Ａ）に示すリフレクタの斜視図であり、図１２（Ｃ）は図１２（Ａ）に示すリフレクタの正面図であり、図１２（Ｄ）は図１２（Ａ）に示すリフレクタの側面図である。
【００４４】
図１２に示す変形例のリフレクタが図７に示すリフレクタと異なる部分は、平面からなる微小反射面ｒが複数並べられることによって第２のリフレクタ５２の第２の反射面５２ｂが構成される部分である。
【００４５】
上記変形例のリフレクタにおいても図７に示すリフレクタと同様の効果を得ることができる。
【図面の簡単な説明】
【００４６】
【図１】本発明の実施の形態による遊技盤を示す前面図。
【図２】本発明の実施の形態による遊技機の全体構成を示す前面図。
【図３】本発明の実施の形態による遊技機の全体構成を示す後面図。
【図４】図１〜図３に示す遊技機の制御部を示すブロック図。
【図５】（Ａ）は回転灯の外観を示す斜視図、（Ｂ）は（Ａ）に示す回転灯からカバーを取り外した状態を示す斜視図、（Ｃ）は（Ｂ）に示す回転灯を斜め下から視た斜視図。
【図６】（Ａ）は図５（Ａ）に示す回転灯の正面図、（Ｂ）は（Ａ）に示すＡ−Ａに沿って切断した断面図。
【図７】（Ａ）は図５及び図６に示すリフレクタの上面図、（Ｂ）は（Ａ）に示すリフレクタの斜視図、（Ｃ）は（Ａ）に示すリフレクタの正面図、（Ｄ）は（Ａ）に示すリフレクタの側面図。
【図８】図５及び図６に示す回転灯の変形例１を示す図。
【図９】図５及び図６に示す回転灯の変形例１を示す図。
【図１０】図５及び図６に示す回転灯の変形例２を示す図。
【図１１】図５及び図６に示す回転灯の変形例２を示す図。
【図１２】（Ａ）は変形例のリフレクタを示す上面図、（Ｂ）は（Ａ）に示すリフレクタの斜視図、（Ｃ）は（Ａ）に示すリフレクタの正面図、（Ｄ）は（Ａ）に示すリフレクタの側面図。
【図１３】従来の回転灯を示す断面図。
【符号の説明】
【００４７】
４６…モータ、４６ａ…回転軸、５１…第１のリフレクタ、５１ａ…第１の反射面、５２…第２のリフレクタ、５２ａ，５２ｂ…第２の反射面、５３、５３ａ，５３ｂ，５３ｃ，５３ｄ…高輝度ＬＥＤ、５８ａ…横方向、５８ｂ…上方向
【図１】
0005088173.tif 000002
【図２】
0005088173.tif 000003
【図３】
0005088173.tif 000004
【図４】
0005088173.tif 000005
【図５】
0005088173.tif 000006
【図６】
0005088173.tif 000007
【図７】
0005088173.tif 000008
【図８】
0005088173.tif 000009
【図９】
0005088173.tif 000010
【図１０】
0005088173.tif 000011
【図１１】
0005088173.tif 000012
【図１２】
0005088173.tif 000013
【図１３】
0005088173.tif 000014